(57)【特許請求の範囲】
【請求項１】
シリンダ錠を担持したカップ状のシリンダ筒を、開口端を内側にして扉外面に開口したシリンダ筒挿通穴に挿通し、錠箱の側板を貫通するようにして錠箱に固定し、その突出部分を化粧リングで覆ったものにおいて、上記シリンダ筒挿通穴に嵌合可能な薄肉短円筒体である閉塞筒を、内端を錠箱に向けてシリンダ筒挿通穴に嵌合させ、その内端を錠箱に近接させることにより、シリンダ筒挿通穴を通り、錠箱側板に沿っての針金の挿入経路を閉塞すると共に、この閉塞筒に抜け止めを施し、以て、化粧リングの可動部を扉外面から持上げ、シリンダ筒挿通穴から針金を通しての不正解錠を防止するようにしたことを特徴とする扉のシリンダ筒挿通穴閉塞装置。
【発明の詳細な説明】
【０００１】
【発明の属する技術分野】
この発明は、扉のシリンダ筒挿通穴閉塞装置（以下単に閉塞装置という）に係り、特に、簡単な構造で容易に扉の外面におけるシリンダ筒挿通穴を閉塞することができ、錠前の安全性を向上させることができる閉塞装置に関する。
【０００２】
【従来の技術】
シリンダ錠の扉への装着の態様は、例えば図１に示すように、シリンダ錠１を収納したカップ状のシリンダ筒２を、錠箱３の側板及び扉４を貫通させて扉面外に突出させ、その突出部分を化粧リング５で覆う構造である。
【０００３】
ちなみに、シリンダ筒２そのものは、その開口端縁部外周面に形成された取付ブロック１０、１０及び錠箱３を貫通する装着杆６、６を介して錠箱３に固定される。
【０００４】
また、他のシリンダ筒２の固定方法は、例えば図２に示すように、その開口端縁外周部に形成された雄ねじ部６０を、錠箱３の側面部に設けられた図示しない雌ねじ部に螺合させ、これも図示しないセットビスにより扉の自由側端縁側から固定する。
【０００５】
しかして、或種の高級な扉においては、化粧リングの代りに、エスカチオン（化粧座板：図示せず）を装着する場合がある。
【０００６】
このエスカチオンは、通常、縦長の板材で、表面に彫刻等の装飾が施されており、室内側から取付ビスで扉外面に呼びつけられるようにして装着される。
【０００７】
【発明が解決しようとする課題】
ところが、錠箱３の寸法及びエスカチオンの取付ビスの位置は事実上一定に定まっており、図３に示すように、取付ビスの位置は生憎錠箱の上端を掠めるような位置にある。
【０００８】
そのため、図３に示すように、エスカチオンの取付ビスとの干渉を避けるため、錠箱３の天井板３ａにビス溝７を、錠箱の側板３ｂの上端にビス孔８を夫々形成しなければならないが、これらビス溝７及びビス孔８は化粧リングを用いる扉用の錠箱には必要無いものである。
【０００９】
なお、図３においてはビス孔８は矩形であるが、取付ビスの横断面形状に応じて半円形のビス孔もあるし、Ｕ字形のものもある。
【００１０】
しかしながら、同じ機構の錠箱でありながら取付ビス用のビス溝７及びビス孔８を形成したものとしないものとを別個に製造することは、コストの上昇の原因にもなるし、また、管理も困難になるので、化粧リングを装着する扉用の錠箱にもビス溝及びビス孔を形成している。
【００１１】
なお、これらビス溝７及びビス孔８は、図３に示すように、デッドボルト等の錠止部材を操作するデッドカム９の近傍に開口している。
【００１２】
一方、図１及び図２に示すように、扉４の外面にはシリンダ筒２や取付ブロック１０を通すためのシリンダ筒挿通穴１１が開口しており、シリンダ錠装着時扉外面側からシリンダ筒の取付ブロック１０を錠箱３内に差込み、或いは捩じ込み、扉の自由側端縁側から前記装着杆６、６を取付ブロック１０に差し通したり、セットビスで固定する構造である。
【００１３】
そのため、化粧リングの可動部を持上げ、特殊な形状をした針金の先端部を、シリンダ筒挿通穴１１及び扉の外面と錠箱３との間を通して、上記ビス溝７から錠箱３内に挿入すると、これを引くことによりデッドボルトが引込むので、不正解錠が不可能ではなく、したがって錠前の防犯性が失われる、という不都合がある。
【００１４】
なお、この不正解錠の方法は、これを公表すると防犯上問題があるし、また、実用新案登録第３０８０８９９号に係る登録実用新案公報に記載されているので、ここではその記載を省略する。
【００１５】
この発明は、上記した扉外面に開口したシリンダ筒挿通穴１１を閉塞する簡単な構造の閉塞装置を提供することを目的としている。
【００１６】
【課題を解決するための手段】
上記の目的を達成するため、この発明は、シリンダ錠を担持したカップ状のシリンダ筒を、開口端を内側にして扉外面に開口したシリンダ筒挿通穴に挿通し、錠箱の側板を貫通するようにして錠箱に固定し、その突出部分を化粧リングで覆ったものにおいて、上記シリンダ筒挿通穴に嵌合可能な薄肉短円筒体である閉塞筒を、内端を錠箱に向けてシリンダ筒挿通穴に嵌合させ、その内端を錠箱に近接させることにより、シリンダ筒挿通穴を通り、錠箱側板に沿っての針金の挿入経路を閉塞すると共に、この閉塞筒に抜け止めを施し、以て、化粧リングの可動部を扉外面から持上げ、シリンダ筒挿通穴から針金を通しての不正解錠を防止するようにしたことを特徴とする。
【００１７】
【実施例】
以下、この発明の実施例を図４乃至図６を参照して説明する。
図４において符号１２は閉塞筒を示し、この閉塞筒１２は扉外面に開口した前記シリンダ筒挿通穴１１に嵌合可能な薄肉短円筒体で、図４及び図５に示すように、その外端（図で左端）における開口端にはフランジ１２ａ（図５参照）が形成されている。
【００１８】
そして、この閉塞筒１２の外径は扉外面に開口したシリンダ筒挿通穴１１（図１参照）に嵌合、或いは僅かな隙間を介して遊嵌可能に設定されており、更に、その内径はシリンダ筒の前記取付ブロック１０が挿通できるように設定されている。なお、ここでは遊嵌も嵌合の一種とする。
【００１９】
なお、取付ブロック１０の最大寸法とシリンダ筒挿通穴１１の内径との差が小さく、閉塞筒１２の肉厚が極端に小さくなる場合には、シリンダ筒挿通穴１１を拡径すべきであるが、通常両者の差は３ｍｍ（ミリメートル）以上あるので、シリンダ筒挿通穴１１の拡径の必要はない。
【００２０】
また、閉塞筒１２の長さ、すなわち図４及び図５において左右方向の寸法は、例えば閉塞筒のフランジ１２ａが扉４の外面に接触するとき、その内端が錠箱３の側板外面に接触するか、或いは図４に示すように閉塞筒の内端が僅かの隙間を介して錠箱３に対向するように設定する。
【００２１】
更にまた、閉塞筒１２には抜け止めが施されていて、一旦装着されたら外側に抜き出すことができないような構造となっている。
【００２２】
図示の実施例では、例えば図５に示すように、閉塞筒１２の円筒部の２個所が外側に切り起こされて抜け止め片１２ｂが形成され、図４に示すようにこの閉塞筒１２が扉外面に装着されたとき、フランジ１２ａと抜け止め片１２ｂとで扉４の外面を挟むように構成されている。
【００２３】
上記のように構成されたこの発明の一実施例による閉塞装置は、新築の家或いはマンションの扉にシリンダ錠を装着する前に扉外面に装着する。
【００２４】
ちなみに、図１に示すようにシリンダ筒２を介してシリンダ錠を扉に装着するときには、先ずアルミサッシの扉の自由側端縁から錠箱を扉内に埋設し、その後図５に示す閉塞筒１２を図４に示すように装着する。
【００２５】
このとき、閉塞筒１２の図５における右端をシリンダ筒挿通穴１１に整合させた状態で錠箱方向に押し込むと、閉塞筒の上記抜け止め片１２ｂがシリンダ筒挿通穴１１の開口端縁によって閉塞筒中心軸線方向に弾性変形する方向に力を受けるが、抜け止め片１２ｂがシリンダ筒挿通穴１１を潜り抜けると復元してその自由端が外方に拡開し、図４に示すようにシリンダ筒挿通穴１１の開口端縁の外方に位置するようになるので、確実な抜け止となる。
【００２６】
しかる後、化粧リング５と一体のシリンダ筒２の取付ブロック１０を閉塞筒１２の内筒部を挿通させて錠箱３内に挿入し、前記したように扉４の自由側端縁から装着杆６、６を差込んでシリンダ筒２を固定し、最後にフロント板（図示せず）を装着する。
【００２７】
一方、既設の扉にこの発明による閉塞装置を装着するときには、扉の自由側端縁からフロント板を外して、上記した操作とは逆に先ず装着杆６、６を抜いて化粧リング５と一体のシリンダ筒２を取り外し、しかる後前記した取付作業を行う。
【００２８】
ちなみに、図２に示すように捩じ込みによりシリンダ筒２を扉に装着するときには、先ずアルミサッシの扉の自由側端縁から錠箱を扉内に埋設し、その後閉塞筒１２をシリンダ筒挿通穴１１に差し込む。
【００２９】
しかる後、化粧リング５と一体のシリンダ筒２の内端雄ねじ部を閉塞筒１２の内筒部を挿通させて錠箱３の側板部に螺入し、所定の角度位置で扉の自由側端縁から図示しないセットビスによりシリンダ筒を固定する（図示せず）。
【００３０】
上記のように構成されたこの発明の一実施例による閉塞装置は、図４から明らかなように、化粧リング５の可動部を扉外面から持上げてその隙間及びシリンダ筒挿通穴から前記特殊な形状の針金を挿入しようとしても、結局閉塞筒１２の筒部によってその挿入を阻止されるので、錠箱３にビス溝７或いはビス孔８が開口していても前記した不正解錠を完全に防止することができる。
【００３１】
図６はこの発明の他の実施例を示し、この実施例は、閉塞筒１２の外端開口に形成されたフランジ１２ａ（図５参照）を廃し、その代わりに外端部を少し延長して化粧リング５の内部空間にまで延伸させたものである。
【００３２】
図６に示す実施例による閉塞装置は、化粧リング５の可動部を持上げて特殊な形状の針金を錠箱のねじ溝まで届かせようとしても、化粧リング５と扉外面との隙間から差し入れた針金をＵターンさせなければ閉塞筒１２の内筒部に進入させることができないので、図４に示すものよりも不正解錠が困難である。
【００３３】
【発明の効果】
以上の説明から明らかなように、この発明は、閉塞筒をシリンダ筒挿通穴に嵌合させ、更にこの閉塞筒に抜け止めを施したので、シリンダ筒挿通穴を閉塞することができ、シリンダ筒挿通穴から針金を差込んでの不正解錠を完全に防止することができる、という所期の効果を奏する。
【図面の簡単な説明】
【図１】シリンダ筒の取付の一例を示す線図的断面図。
【図２】シリンダ筒の取付の他の例を示す線図的断面図。
【図３】錠箱の構造の一例を示す一部側面図。
【図４】この発明の一実施例による閉塞装置の線図的断面図。
【図５】閉塞筒の構造の一例を示す拡大一部断面側面図。
【図６】この発明の他の実施例による閉塞装置の線図的断面図。
【符号の説明】
１  シリンダ錠
２  シリンダ筒
３  錠箱
４  扉
５  化粧リング
６  装着杆
７  ビス溝
８  ビス孔
９  デッドカム
１０  取付ブロック
１１  シリンダ筒挿通穴
１２  閉塞筒
６０  雄ねじ部
【図１】
0004389017.tif 000002
【図２】
0004389017.tif 000003
【図３】
0004389017.tif 000004
【図４】
0004389017.tif 000005
【図５】
0004389017.tif 000006
【図６】
0004389017.tif 000007